(57)【要約】【目的】サルなどが登攀出来ない程度の高さまで電気柵やネットを張ることが可能であり、しかも設置が容易な電気柵用支柱を提供すること。【構成】先端が尖った下部支柱と、当該下部支柱の上部に接続される上部支柱と、上部支柱と下部支柱とをその空洞部の両端から差し込み接合する筒状のジョイントとにより成る電気柵用支柱において、下部支柱の基端側端部及び上部支柱の先端側端部それぞれに、外周に凸部を備えた円筒形部材を嵌め込み、ジョイントの空洞部周面に、それぞれが上記各凸部に係止される爪を設けて構成した。また、凸部が嵌まる溝をジョイントの空洞部周面に設けて構成した。更には円筒形部材の外周に、ジョイントの溝に嵌まる突部を設けて構成した。また、下部支柱の上端及び上部支柱の上端それぞれに着脱可能な蓋を備えて構成した。【選択図】        図１
2018186729.tif 000002
【特許請求の範囲】
【請求項１】
先端が尖った下部支柱と、当該下部支柱の上部に接続される上部支柱と、上部支柱と下部支柱とを、その空洞部の両端から差し込み接合する筒状のジョイントとにより成る電気柵用支柱であって、
下部支柱の基端側端部及び上部支柱の先端側端部それぞれに、外周に凸部を備えた円筒形部材を嵌め込み、
ジョイントの空洞部周面に、それぞれが上記各凸部に係止される爪を設けた電気柵用支柱。
【請求項２】
凸部が嵌まる溝を、ジョイントの空洞部周面に設けた請求項１に記載の電気柵用支柱。
【請求項３】
円筒形部材の外周に、ジョイントの溝に嵌まる突部を設けた請求項１又は請求項２に記載の電気柵用支柱。
【請求項４】
下部支柱の上端及び上部支柱の上端それぞれに着脱可能な蓋を備えた請求項１乃至請求項３いずれかに記載の電気柵用支柱。
【請求項５】
先端が尖った下部支柱と、当該下部支柱の上部に接続される上部支柱と、上部支柱と下部支柱とを、その空洞部の両端から差し込み接合する筒状のジョイントとにより成る電気柵用支柱であって、
下部支柱の基端側の外周、上部支柱の先端側の外周にそれぞれ凸部を設け、ジョイントの空洞部周面に、それぞれが凸部に係止される爪を設けた電気柵用支柱。
【請求項６】
凸部が嵌まる溝を、ジョイントの空洞部周面に設けた請求項５に記載の電気柵用支柱。
【請求項７】
下部支柱の基端側の外周、上部支柱の先端側の外周にそれぞれ溝に嵌まる突部を設けた請求項５又は請求項６に記載の電気柵用支柱。
【請求項８】
下部支柱の上端及び上部支柱の上端それぞれに着脱可能な蓋を備えた請求項５乃至請求項６いずれかに記載の電気柵用支柱。
【発明の詳細な説明】
【技術分野】
【０００１】
本発明は、有害動物類の侵入防止のために設置される電気柵を支持する支柱に関するものである。
【背景技術】
【０００２】
近年、イノシシ、サル、シカなどの野生動物の個体数の増加や生息環境の変化に伴って、田畑や果樹園などの農作物を食い荒らす、いわゆる食害が大きな社会問題となっている。また、山林や牧場、ゴルフ場などにも動物類が侵入してさまざまな被害をもたらしている。
【０００３】
このような有害動物による食害などを防止するために、従来から種々の方法が採用されているが、その代表的なものに電気柵と呼ばれる電気ショックにより痛みを感じさせることによって動物を退散させる方法がある。これは支柱などによって支えられた、それぞれがプラスあるいはマイナスの電極に接続された裸電線に高電圧のパルス電圧を印加し、これらの裸電線のプラス極とマイナス極に触れた動物に電気ショックによる痛みを感じさせることによって退散させ、侵入を防ぐものである。
【０００４】
このように電気ショックによる痛みを与えることで有害動物を退散させる方法は、痛みを感じて退散させるという効果だけではなく、たびたび痛みを受けることによる学習効果で近寄らなくなるという効果も併せ持っていること、設置と運転が容易で、コストも比較的低いことなどから最近よく利用されている。
【０００５】
このような電気柵には、図２８に示すように、地面（アース）とプラス電極に接続された裸電線、あるいはマイナス電極に接続された裸電線とプラス電極に接続された裸電線との間の電気絶縁性を得るために電気絶縁性を有する支柱１と碍子２が用いられている。支柱１は、電気絶縁性のある合成樹脂を表面に被覆した鋼管や合成樹脂製の棒などを用いている。碍子２は、多くの場合、支柱１に固定するための部分と、沿面放電を防ぐための溝と裸電線３を巻き付けたり、引っ掛けて取り付けるための溝が設けられた部分からなっている。この支柱１に猪４その他の動物の侵入してくる側に向けて絶縁性の碍子２を固定し、この碍子２の溝部分５に裸電線３を巻き付けるか、引っ掛けるなどして取り付けている。
【０００６】
上記の通り構成される電気柵であるが、シカなどの跳躍力に富む動物や、サルなどの登攀能力に富む動物は、電気柵やネット等を飛び越えたり、あるいは支柱をよじ登ったりして、田畑に侵入することがある。そこで、かかる事態を防ぐため上部に返し部材を設ける（特許文献１）、支柱を延長する（特許文献２）といった方法が提案されている。
【先行技術文献】
【特許文献】
【０００７】
【特許文献１】特開２０１４−９０６８０号公報
【特許文献２】特開２００９−１９５２２９号公報
【発明の概要】
【発明が解決しようとする課題】
【０００８】
本発明もまた、サルなどの登攀能力に富む動物が、電気柵やネット等を飛び越えたりすることを抑制することを目的とするものであり、より具体的には支柱を延長可能なものとすることで、サルなどが登攀出来ない程度の高さまで電気柵やネットを張ることが可能であり、しかも設置が容易な電気柵用支柱を提供することを目的とする。
【課題を解決するための手段】
【０００９】
上記の目的を達成する本考案の構成は以下の通りである。
【００１０】
（１) 請求項１に記載の発明は、先端が尖った下部支柱と、当該下部支柱の上部に接続される上部支柱と、上部支柱と下部支柱とをその空洞部の両端から差し込み接合する筒状のジョイントとにより成る電気柵用支柱において、下部支柱の基端側端部及び上部支柱の先端側端部それぞれに、外周に凸部を備えた円筒形部材を嵌め込み、ジョイントの空洞部周面に、それぞれが上記各凸部に係止される爪を設けて構成した。
【００１１】
（２) 請求項２に記載の発明は、請求項１に記載の電気柵用支柱において、凸部が嵌まる溝をジョイントの空洞部周面に設けて構成した。
【００１２】
（３) 請求項３に記載の発明は、請求項１又は請求項２に記載の電気柵用支柱において、円筒形部材の外周に、ジョイントの溝に嵌まる突部を設けて構成した。
【００１３】
（４) 請求項４に記載の発明は、請求項１乃至請求項３いずれかに記載の電気柵用支柱において、下部支柱の上端及び上部支柱の上端それぞれに着脱可能な蓋を備えて構成した。
【００１４】
（５) 請求項５に記載の発明は、先端が尖った下部支柱と、当該下部支柱の上部に接続される上部支柱と、上部支柱と下部支柱とをその空洞部の両端から差し込み接合する筒状のジョイントとにより成る電気柵用支柱において、下部支柱の基端側の外周、上部支柱の先端側の外周にそれぞれ凸部を設け、ジョイントの空洞部周面に、それぞれが凸部に係止される爪を設けて構成した。
【００１５】
（６) 請求項６に記載の発明は、請求項５に記載の電気柵用支柱において、凸部が嵌まる溝を、ジョイントの空洞部周面に設けて構成した。
【００１６】
（７) 請求項７に記載の発明は、請求項５又は請求項６に記載の電気柵用支柱において、下部支柱の基端側の外周、上部支柱の先端側の外周にそれぞれ溝に嵌まる突部を設けて構成した。
【００１７】
（８) 請求項８に記載の発明は、請求項５乃至請求項７いずれかに記載の電気柵用支柱において、下部支柱の上端及び上部支柱の上端それぞれに着脱可能な蓋を備えて構成した。
【発明の効果】
【００１８】
上記のように構成される本発明が、如何に作用して課題を解決するかを図面を参照しながら概説する。
【００１９】
請求項１乃至請求項４にかかる電気柵用支柱は、図１１に示すようにジョイント１０の両端に上部支柱２０及び下部支柱３０を差し込むことで、上部支柱２０と下部支柱３０とを連結し、長尺なものとなすことが可能となる。
【００２０】
しかも、図５に示すようにジョイント１０に差し込むだけで、円筒形部材４０の凸部４１が、ジョイント１０に設けた爪１１に係止される構造となている。つまりはかかる簡単な作業で、上部支柱２０と下部支柱３０を連結することが可能となるのである。これにより、サルなどが登攀出来ない程度の高さまで電気柵やネットを張ることが可能となる。
【００２１】
請求項２に記載の電気柵用支柱は、円筒形部材４０に設けた凸部４１が、図３に示されるジョイント１０の溝１２に嵌る構造となっている。かかる構造ゆえに円筒形部材４０が嵌めこまれ、円筒形部材４０に対して固定された上部支柱２０及び下部支柱３０が、ジョイント１０内で回転することが抑制させる。これにより上部支柱２０と下部支柱３０を強固に固定することが可能となるのである。
【００２２】
請求項３に記載の電気柵用支柱は、円筒形部材４０の外周に設けた突部４２が、ジョイント１０の溝１２に嵌まる構造となっている。かかる構造ゆえに円筒形部材４０が嵌めこまれ、円筒形部材４０に対して固定された上部支柱２０及び下部支柱３０が、ジョイント１０内で回転することが抑制させる。これにより上部支柱２０と下部支柱３０をより強固に固定することが可能となるのである。
【００２３】
請求項４に記載の電気柵用支柱は、図２１、図２２、図２５、図２６に示すように下部支柱３０の上端及び上部支柱２０の上端それぞれに、蓋７０が着脱自在なものである。かかる構造とすることで、下部支柱３０を地面にハンマー等で打ち込む際には、下部支柱３０の上端に蓋７０を被せて下部支柱３０を保護して打ち込むことが可能となる。つまりハンマー等が直接当接するのは蓋７０であり、下部支柱３０が直接打ちつけられるものではないので、下部支柱３０の破損を抑制することが可能となる。下部支柱３０を打ち込んだ後に、蓋７０を外し、上部支柱２０の上端に被せれば、上部支柱２０の保護にもなるものである。
【００２４】
請求項５乃至請求項８にかかる電気柵用支柱は、図１２に示すようにジョイント１０の両端に上部支柱５０及び下部支柱６０を差し込むことで、上部支柱５０と下部支柱６０とを連結し、長尺なものとなすことが可能となる。
【００２５】
しかも、図６に示すようにジョイント１０に差し込むだけで、上部支柱５０の凸部５１及び下部支柱６０の凸部６１が、ジョイント１０に設けた爪１１にそれぞれ係止される構造となている。つまりはかかる簡単な作業で、上部支柱５０と下部支柱６０を連結することが可能となるのである。これにより、サルなどが登攀出来ない程度の高さまで電気柵やネットを張ることが可能となるものである。
【００２６】
請求項６に記載の電気柵用支柱は、上部支柱５０に設けた凸部５１及び下部支柱６０に設けた凸部６１がそれぞれ、図３に示されるジョイント１０の両端にそれぞれ設けられた、溝１２に嵌る構造となっている。かかる構造ゆえに上部支柱５０及び下部支柱６０が、ジョイント１０内で回転することが抑制させる。これにより上部支柱５０と下部支柱６０を強固に固定することが可能となるのである。
【００２７】
請求項７に記載の電気柵用支柱は、上部支柱５０に設けた突部５２及び下部支柱６０に設けた凸部６２がそれぞれ、、ジョイント１０の溝１２に嵌まる構造となっている。かかる構造ゆえに上部支柱５０及び下部支柱６０が、ジョイント１０内で回転することが抑制させる。これにより上部支柱５０と下部支柱６０をより強固に固定することが可能となるのである。
【００２８】
請求項８に記載の電気柵用支柱は、図２３、図２４、図２５、図２６に示すように下部支柱６０の上端及び上部支柱５０の上端それぞれに、蓋７０が着脱自在なものである。かかる構造とすることで、下部支柱６０を地面にハンマー等で打ち込む際には、下部支柱６０の上端に蓋７０を被せて下部支柱６０を保護して打ち込むことが可能となる。つまりハンマー等が直接当接するのは蓋７０であり、下部支柱６０が直接打ちつけられるものではないので、下部支柱６０の破損を抑制することが可能となる。下部支柱６０を打ち込んだ後に、蓋７０を外し、上部支柱５０の上端に被せれば、上部支柱５０の保護にもなるものである。
【図面の簡単な説明】
【００２９】
【図１】ジョイントの正面図
【図２】同、左側面図
【図３】同、平面図
【図４】Ａ−Ａ線断面図
【図５】ジョイントに支柱を差し込んだ状態を示す説明断面図
【図６】ジョイントに支柱を差し込んだ状態を示す説明断面図
【図７】円筒形部材の正面図
【図８】同、平面図
【図９】同、左側面図
【図１０】同、斜視図
【図１１】ジョイントへの差込工程を示す説明図
【図１２】ジョイントへの差込工程を示す説明図
【図１３】下部支柱の正面図
【図１４】同、左側面図
【図１５】上部支柱の正面図
【図１６】同、左側面図
【図１７】下部支柱の正面図
【図１８】同、左側面図
【図１９】上部支柱の正面図
【図２０】同、左側面図
【図２１】下部支柱への蓋の取付け工程を示す説明図
【図２２】下部支柱への蓋の取付け工程を示す説明図
【図２３】下部支柱への蓋の取付け工程を示す説明図
【図２４】下部支柱への蓋の取付け工程を示す説明図
【図２５】上部支柱への蓋の取付け工程を示す説明図
【図２６】上部支柱への蓋の取付け工程を示す説明図
【図２７】a  蓋の正面図    ｂ  同平面図    ｃ  同底面図    ｄ  Ｂ−Ｂ線断面図
【図２８】電気柵の説明図
【発明を実施するための形態】
【００３０】
一、  以下、好ましい発明の一実施形態につき、図面を参照しながら概説する。なお、本発明の実施の形態は、下記の実施形態に何ら限定されることはなく、本発明の技術的範囲に属
する限り種々の形態を採りうる。 
【００３１】
二、  請求項１乃至請求項４に記載の電気柵用支柱
（１）  図１３は下部支柱３０の正面図であり、図１４はその左側面図である。下部支柱３０の上端すなわち基端側には、円筒形部材４０がその内部の空洞面を下部支柱３０に嵌め込む形状で固定されている。この実施形態においては、下部支柱の長さは１２８２ｍｍ、外径は３１ｍｍとしているが、電気柵の設置場所、害獣の種類等に応じて適宜設計変更が可能である。
【００３２】
この実施形態においては、下部支柱３０は、ＦＲＰで作製した中空円筒形状の芯材と、芯材の外周をＡＢＳ樹脂で被覆した被覆層とで構成されている。但し、下部支柱３０はは、所定の強度を有し、裸電線に流れる電流を絶縁できるようになされていれば、ポリプロピレン樹脂やその他どのような材料で構成してもよい。
【００３３】
下部支柱３０の先端には先細り状の先端部３１が取り付けてある。先端部３１は超硬樹脂、具体的にはポリカーボネートで構成してある。但し、先端部３１は、所定の強度を有するものであれば、どのような材料で構成してもよい。
【００３４】
下部支柱３０の外周面には、裸電線を係止可能なように、上部に向けて開放されたフック３２が複数設けられている。
【００３５】
（２）  図１５は上部支柱２０の正面図であり、図１６はその左側面図である。上部支柱２０の下端すなわち先端側には、円筒形部材４０がその内部の空洞面を上部支柱２０に嵌め込む形状で固定されている。この実施形態においては、上部支柱の長さは１２００ｍｍ、外径は３１ｍｍとしているが、電気柵の設置場所、害獣の種類等に応じて適宜設計変更が可能である。
【００３６】
この実施形態においては、上部支柱２０は、ＦＲＰで作製した中空円筒形状の芯材と、芯材の外周をＡＢＳ樹脂で被覆した被覆層とで構成されている。但し、上部支柱２０はは、所定の強度を有し、裸電線に流れる電流を絶縁できるようになされていれば、ポリプロピレン樹脂やその他どのような材料で構成してもよい。
【００３７】
上部支柱２０の外周面には、裸電線を係止可能なように、上部に向けて開放されたフック２１が複数設けられている。
【００３８】
（３）  図７乃至図１０は円筒形部材４０を示すものである。円筒形部材４０は中空の円筒体であり、その外周面には突起物である凸部４１、同じく突起物である突部４２が、それぞれ二箇所に設けてある。凸部４１はジョイント１０の爪１１に係止しやすいように、端部に向かって先細りに形成してある。
【００３９】
また、凸部４１の幅Ｈ１及び突部４２の幅Ｈ２は、図３に示されるジョイント１０の溝１２の幅Ｈ３よりも若干短く形成してある。
【００４０】
円筒形部材４０は超硬樹脂、具体的にはポリカーボネートで構成してある。但し、円筒形部材４０は、所定の強度を有し、裸電線に流れる電流を絶縁できるようになされていれば、どのような材料で構成してもよい。
【００４１】
（４）  図１はジョイント１０の正面図であり、図２は同左側面図、図３は同平面図、図４は図１におけるＡ−Ａ線断面図を示すものである。なお、背面図は正面図と、右側面図は左側面図と、底面図は平面図と、それぞれ同一に表れるものである。
【００４２】
ジョイント１０は中空の円筒形体であり、正面が及び背面側にそれぞれ２箇所ずつ爪１１が設けてある。爪１１は、ジョイント１０の周面に設けた孔部１３内に延設された板体１１ａの先端に、延設方向に直行する板材１１ｂを設けて構成してある。板体１１ａの弾力性ゆえに、図５に示すように、上部支柱２０や下部支柱３０をジョイント１０内に差し込んだ際に、円筒形部材４０の凸部４１の差込及び係止が可能となるのである。
【００４３】
図３や図４に示すように、ジョイント１０の空洞部１４の端部には合計４箇所に溝１２が設けてある。この溝１２に添って凸部４１及び突部４２がジョイント１０内に差し込まれるものである。
【００４４】
ジョイント１０は超硬樹脂、具体的にはポリカーボネートで構成してある。但し、ジョイント１０は、所定の強度を有し、裸電線に流れる電流を絶縁できるようになされていれば、どのような材料で構成してもよい。
【００４５】
（５）  図２７は蓋７０を示すものである。蓋７０は空洞部７１を備えた略円筒形体であり、上部支柱２０の基端側端部、下部支柱３０の基端側端部に着脱自在に被せることが可能なものである。
【００４６】
三、請求項５乃至請求項８に記載の電気柵用支柱
（１）  図１７は下部支柱６０の正面図であり、図１８はその左側面図である。下部支柱６０の基端側外周面には突起物である凸部６１、同じく突起物である突部６２が、それぞれ二箇所に設けてある。凸部６１はジョイント１０の爪１１に係止しやすいように、端部に向かって先細りに形成してある。この実施形態においては、下部支柱の長さは１２８２ｍｍ、外径は３１ｍｍとしているが、電気柵の設置場所、害獣の種類等に応じて適宜設計変更が可能である。
【００４７】
この実施形態においては、下部支柱６０は、ＦＲＰで作製した中空円筒形状の芯材と、芯材の外周をＡＢＳ樹脂で被覆した被覆層とで構成されている。但し、下部支柱６０はは、所定の強度を有し、裸電線に流れる電流を絶縁できるようになされていれば、ポリプロピレン樹脂やその他どのような材料で構成してもよい。
【００４８】
下部支柱６０の先端には先細り状の先端部６３が取り付けてある。先端部６３は超硬樹脂、具体的にはポリカーボネートで構成してある。但し、先端部６３は、所定の強度を有するものであれば、どのような材料で構成してもよい。
【００４９】
下部支柱６０の外周面には、裸電線を係止可能なように、上部に向けて開放されたフック６４が複数設けられている。
【００５０】
（２）  図１９は上部支柱５０の正面図であり、図２０はその左側面図である。上部支柱５０の下端すなわち先端側には、突起物である凸部５１、同じく突起物である突部５２が、それぞれ二箇所に設けてある。凸部５１はジョイント１０の爪１１に係止しやすいように、端部に向かって先細りに形成してある。この実施形態においては、上部支柱５０の長さは１２００ｍｍ、外径は３１ｍｍとしているが、電気柵の設置場所、害獣の種類等に応じて適宜設計変更が可能である。
【００５１】
この実施形態においては、上部支柱５０は、ＦＲＰで作製した中空円筒形状の芯材と、芯材の外周をＡＢＳ樹脂で被覆した被覆層とで構成されている。但し、上部支柱５０はは、所定の強度を有し、裸電線に流れる電流を絶縁できるようになされていれば、ポリプロピレン樹脂やその他どのような材料で構成してもよい。
【００５２】
上部支柱５０の外周面には、裸電線を係止可能なように、上部に向けて開放されたフック５３が複数設けられている。
【００５３】
（３）  図１はジョイント１０の正面図であり、図２は同左側面図、図３は同平面図、図４は図１におけるＡ−Ａ線断面図を示すものである。なお、背面図は正面図と、右側面図は左側面図と、底面図は平面図と、それぞれ同一に表れるものである。
【００５４】
ジョイント１０は中空の円筒形体であり、正面が及び背面側にそれぞれ２箇所ずつ爪１１が設けてある。爪１１は、ジョイント１０の周面に設けた孔部１３内に延設された板体１１ａの先端に、延設方向に直行する板材１１ｂを設けて構成してある。板体１１ａの弾力性ゆえに、図６に示すように、上部支柱６０や下部支柱５０をジョイント１０内に差し込んだ際に、上部支柱５０に設けた凸部５１や下部支柱６０に設けた凸部６１の差込及び係止が可能となるのである。
【００５５】
図３や図４に示すように、ジョイント１０の空洞部１４の端部には合計４箇所に溝１２が設けてある。この溝１２に添って凸部５１，６１及び突部５２，６２がジョイント１０内に差し込まれるものである。
【００５６】
ジョイント１０は超硬樹脂、具体的にはポリカーボネートで構成してある。但し、ジョイント１０は、所定の強度を有し、裸電線に流れる電流を絶縁できるようになされていれば、どのような材料で構成してもよい。
【００５７】
（４）  図２７は蓋７０を示すものである。蓋７０は空洞部７１を備えた略円筒形体であり、上部支柱５０の基端側端部、下部支柱６０の基端側端部に着脱自在に被せることが可能なものである。
【符号の説明】
【００５８】
１０・・ジョイント
１１・・爪
１２・・溝
１３・・孔部
１４・・空洞部
２０・・上部支柱
３０・・下部支柱
３１・・先端部
３２・・フック
４０・・円筒形部材
４１・・凸部
４２・・突部
５０・・上部支柱
５１・・凸部
５２・・突部
５３・・フック
６０・・下部支柱
６１・・凸部
６２・・突部
６３・・先端部
６４・・フック
７０・・蓋
７１・・空洞部
【図１】
2018186729.tif 000003
【図２】
2018186729.tif 000004
【図３】
2018186729.tif 000005
【図４】
2018186729.tif 000006
【図５】
2018186729.tif 000007
【図６】
2018186729.tif 000008
【図７】
2018186729.tif 000009
【図８】
2018186729.tif 000010
【図９】
2018186729.tif 000011
【図１０】
2018186729.tif 000012
【図１１】
2018186729.tif 000013
【図１２】
2018186729.tif 000014
【図１３】
2018186729.tif 000015
【図１４】
2018186729.tif 000016
【図１５】
2018186729.tif 000017
【図１６】
2018186729.tif 000018
【図１７】
2018186729.tif 000019
【図１８】
2018186729.tif 000020
【図１９】
2018186729.tif 000021
【図２０】
2018186729.tif 000022
【図２１】
2018186729.tif 000023
【図２２】
2018186729.tif 000024
【図２３】
2018186729.tif 000025
【図２４】
2018186729.tif 000026
【図２５】
2018186729.tif 000027
【図２６】
2018186729.tif 000028
【図２７】
2018186729.tif 000029
【図２８】
2018186729.tif 000030
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
先端が尖った下部支柱と、当該下部支柱の上部に接続される上部支柱と、上部支柱と下部支柱とを、その空洞部の両端から差し込み接合する筒状のジョイントとにより成る電気柵用支柱であって、
下部支柱の基端側端部及び上部支柱の先端側端部それぞれに、外周に凸部を備えた円筒形部材を嵌め込んだこと、
ジョイントの周面に設けた孔部内に延設された板体と、該板体の先端に延設方向に直行し、且つ、空洞部側に突設した板材とから成る爪を、上記各凸部に係止される形態で設けたこと、
を特徴とする電気柵用支柱。
【請求項２】
凸部が嵌まる溝を、ジョイントの内周面の両端部に設けた請求項１に記載の電気柵用支柱。
【請求項３】
下部支柱の上端及び上部支柱の上端それぞれに着脱可能な蓋を備えた請求項１又は請求項２に記載の電気柵用支柱。
【請求項４】
先端が尖った下部支柱と、当該下部支柱の上部に接続される上部支柱と、上部支柱と下部支柱とを、その空洞部の両端から差し込み接合する筒状のジョイントとにより成る電気柵用支柱であって、
下部支柱の基端側の外周、上部支柱の先端側の外周にそれぞれ凸部を設けたこと、
ジョイントの周面に設けた孔部内に延設された板体と、該板体の先端に延設方向に直行し、且つ、空洞部側に突設した板材とから成る爪を、上記各凸部に係止される形態で設けたこと、
を特徴とする電気柵用支柱。
【請求項５】
凸部が嵌まる溝を、ジョイントの内周面の両端部に設けた請求項５に記載の電気柵用支柱。
【請求項６】
下部支柱の上端及び上部支柱の上端それぞれに着脱可能な蓋を備えた請求項４又は請求項５いずれかに記載の電気柵用支柱。